【手続補正書】
【提出日】平成18年12月15日(2006.12.15)
【手続補正１】
【補正対象書類名】特許請求の範囲
【補正対象項目名】全文
【補正方法】変更
【補正の内容】
【特許請求の範囲】
【請求項１】
有機発光ダイオードを備える電気光学装置であって、
基板上に設けられた複数の第１電極と、
前記複数の第１電極の周縁部の上に設けられ、側面部と上面部とからなり、親液性を有する第１の隔壁と、前記第１の隔壁の上面部に形成され、撥液性を有する第２の隔壁と、を備えた隔壁と、
前記第１及び第２の隔壁で囲まれた領域における前記第１電極上に設けられ、少なくとも有機の発光層を含む機能層と、
前記機能層上に設けられた第２電極と、
を備え、
前記第１の隔壁の第１開口部が、前記第２の隔壁の下端部における第２開口部より広く形成されていることを特徴とする電気光学装置。
【請求項２】
前記第１の隔壁の厚さは、前記機能層の厚さに比して厚く、
前記側面部が前記基板表面に平行な面となす角度は、垂直または鈍角であることを特徴とする請求項１に記載の電気光学装置。
【請求項３】
前記機能層は、前記発光層の下層として形成され、かつ、該発光層による発光を補助する補助層をさらに備え、
前記第１の隔壁の厚さは前記補助層と比して厚く、
前記第２の隔壁の下面部は、前記第１の隔壁の上面部よりも前記領域側に張り出して形成されることを特徴とする請求項１に記載の電気光学装置。
【請求項４】
前記機能層は、前記発光層の下層として形成され、かつ、該発光層による発光を補助する補助層をさらに備え、
前記第１の隔壁の厚さは前記補助層と比して厚く、
前記補助層と前記第１の隔壁とが接触する部分は、前記第２の隔壁と重なるように形成されていることを特徴とする請求項１に記載の電気光学装置。
【請求項５】
前記第２の隔壁は、前記第１の隔壁の前記上面部が現れないように形成されていることを特徴とする請求項１乃至４のいずれか一項に記載の電気光学装置。
【請求項６】
前記第２の隔壁の上部開口部は、下部開口部よりも広く形成されていることを特徴とする請求項１乃至５のいずれか一項に記載の電気光学装置。
【請求項７】
有機発光ダイオードを備える電気光学装置の製造方法であって、
基板上に複数の第１電極に形成する工程と、
側面部と上面部とを備える第１の隔壁を、前記複数の第１電極の周縁部の上に形成する工程と、
前記第１の隔壁の上面部に第２の隔壁を形成する工程と、
前記第１及び第２の隔壁で囲まれた領域に、機能層を形成するための材料を含む組成物をインクジェットプロセスにより塗布する工程と、
前記組成物を乾燥させ、機能層を形成する工程と、
前記機能層の上に第２電極を形成する工程とを備え、
前記第１の隔壁の第１開口部が前記第２の隔壁の下端部における第２開口部より広く形成されていることを特徴とする電気光学装置の製造方法。
【請求項８】
前記側面部が前記基板表面に平行な面となす角度は、垂直または鈍角であることを特徴とする請求項７に記載の電気光学装置の製造方法。
【請求項９】
前記第２の隔壁の下面部は、前記第１の隔壁の上面部よりも前記領域側に張り出して形成されることを特徴とする請求項７に記載の電気光学装置の製造方法。
【請求項１０】
前記組成物をインクジェットプロセスにより塗布する工程の前に、前記第２の隔壁をフッ素プラズマに曝す工程をさらに含むことを特徴とする請求項７乃至９のいずれか一項に記載の電気光学装置の製造方法。
【請求項１１】
前記第２の隔壁は、前記第１の隔壁と重なるように設けられていることを特徴とする請求項１０に記載の電気光学装置の製造方法。
【請求項１２】
前記第２の隔壁は、前記第１の隔壁の前記上面部が現れないように形成されていることを特徴とする請求項１０又は１１に記載の電気光学装置の製造方法。
【請求項１３】
前記第２の隔壁は、前記第１の隔壁の前記上面部が現れないように形成されていることを特徴とする請求項７乃至１２のいずれか一項に記載の電気光学装置。
【請求項１４】
請求項１乃至６のいずれか１項に記載の電気光学装置を備えることを特徴とする電子機器。
【手続補正２】
【補正対象書類名】明細書
【補正対象項目名】０００９
【補正方法】変更
【補正の内容】
【０００９】
上述した課題を解決し、目的を達成するために、本発明の電気光学装置は、有機発光ダイオードを備える電気光学装置であって、基板上に設けられた複数の第１電極と、前記複数の第１電極の周縁部の上に設けられ、側面部と上面部とからなり、親液性を有する第１の隔壁と、前記第１の隔壁の上面部に形成され、撥液性を有する第２の隔壁と、を備えた隔壁と、前記第１及び第２の隔壁で囲まれた領域における前記第１電極上に設けられ、少なくとも有機の発光層を含む機能層と、前記機能層上に設けられた第２電極と、を備え、前記第１の隔壁の第１開口部が、前記第２の隔壁の下端部における第２開口部より広く形成されていることを特徴とする。
また、本発明の電気光学装置は、上記の電気光学装置であって、前記第１の隔壁の厚さは、前記機能層の厚さに比して厚く、前記側面部が前記基板表面に平行な面となす角度は、垂直または鈍角であることを特徴とする。
また、本発明の電気光学装置は、上記の電気光学装置であって、前記機能層は、前記発光層の下層として形成され、かつ、該発光層による発光を補助する補助層をさらに備え、前記第１の隔壁の厚さは前記補助層と比して厚く、前記第２の隔壁の下面部は、前記第１の隔壁の上面部よりも前記領域側に張り出して形成されることを特徴とする。
また、本発明の電気光学装置は、上記の電気光学装置であって、前記機能層は、前記発光層の下層として形成され、かつ、該発光層による発光を補助する補助層をさらに備え、前記第１の隔壁の厚さは前記補助層と比して厚く、前記補助層と前記第１の隔壁とが接触する部分は、前記第２の隔壁と重なるように形成されていることを特徴とする。
また、本発明の電気光学装置は、上記の電気光学装置であって、前記第２の隔壁は、前記第１の隔壁の前記上面部が現れないように形成されていることを特徴とする。
また、本発明の電気光学装置は、上記の電気光学装置であって、前記第２の隔壁の上部開口部は、下部開口部よりも広く形成されていることを特徴とする。
上述した課題を解決し、目的を達成するために、本発明の電気光学装置の製造方法は、有機発光ダイオードを備える電気光学装置の製造方法であって、基板上に複数の第１電極に形成する工程と、側面部と上面部とを備える第１の隔壁を、前記複数の第１電極の周縁部の上に形成する工程と、前記第１の隔壁の上面部に第２の隔壁を形成する工程と、前記第１及び第２の隔壁で囲まれた領域に、機能層を形成するための材料を含む組成物をインクジェットプロセスにより塗布する工程と、前記組成物を乾燥させ、機能層を形成する工程と、前記機能層の上に第２電極を形成する工程とを備え、前記第１の隔壁の第１開口部が前記第２の隔壁の下端部における第２開口部より広く形成されていることを特徴とする。
また、本発明の電気光学装置の製造方法は、上記の電気光学装置の製造方法であって、前記側面部が前記基板表面に平行な面となす角度は、垂直または鈍角であることを特徴とする。
また、本発明の電気光学装置の製造方法は、上記の電気光学装置の製造方法であって、前記第２の隔壁の下面部は、前記第１の隔壁の上面部よりも前記領域側に張り出して形成されることを特徴とする。
また、本発明の電気光学装置の製造方法は、上記の電気光学装置の製造方法であって、前記組成物をインクジェットプロセスにより塗布する工程の前に、前記第１及び第２の隔壁をフッ素プラズマに曝す工程をさらに含むことを特徴とする。
また、本発明の電気光学装置の製造方法は、上記の電気光学装置の製造方法であって、前記第２の隔壁は、前記第１の隔壁と重なるように設けられていることを特徴とする。
また、本発明の電気光学装置の製造方法は、上記の電気光学装置の製造方法であって、前記第２の隔壁は、前記第１の隔壁の前記上面部が現れないように形成されていることを特徴とする。
また、本発明の電気光学装置の製造方法は、上記の電気光学装置の製造方法であって、前記第２の隔壁は、前記第１の隔壁の前記上面部が現れないように形成されていることを特徴とする。
上述した課題を解決し、目的を達成するために、本発明は、基板上に複数の領域を形成するために各領域間を分離し、側面部と上面部からなり親液性を有する前記領域を囲む第１の隔壁と、該第１の隔壁の上面部の少なくとも一部に形成され撥液性を有する第２の隔壁とからなる隔壁と、前記隔壁に囲まれる領域内に形成される少なくとも発光層を含む機能層と、前記機能層を挟む一対の電極とを備える電気光学装置であって、前記第１の隔壁の厚さは、前記機能層の厚さに比して厚く、前記第２の隔壁は前記第１の隔壁の上面部のすべてを覆って形成されることを特徴とする。この発明によれば、第１の隔壁の上面が現れないので、隔壁によって囲まれる領域に滴下される液滴が乾燥する際に、前記第１の隔壁の上面に液滴が引きずられることがない。また、第１の隔壁の下面によって囲まれる領域に形成される機能層の厚さが均一となる。したがって、機能層の厚さが一様となるので、１つの隔壁によって囲まれる領域における発光輝度も一様となるという効果を有する。
なお、電気光学装置とは、電気光学素子を備える表示装置を意味する。電気光学素子とは、電気的な作用により光学特性が変化する素子の意であり、例えば、液晶、有機ＥＬ発光ダイオード等が含まれる。